【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
輝度信号を、信号レベルの変化が急峻で大きなエッジを保存した成分であるエッジ成分と、それ以外の成分である非エッジ成分に分離し、非エッジ成分を増幅する信号処理装置であって、
入力された前記輝度信号である入力輝度信号を、前記エッジ成分、および、前記非エッジ成分に分離する入力輝度信号分離手段と、
前記入力輝度信号分離手段により分離された前記非エッジ成分に基づいて、前記非エッジ成分の増幅量を設定し、前記非エッジ成分を増幅する非エッジ成分増幅手段と、
入力色信号に基づいて、第１のゲインを設定し、前記非エッジ成分増幅手段により増幅された前記非エッジ成分に前記第１のゲインを乗算し、前記非エッジ成分の信号レベルを調整する第１の信号レベル調整手段と、
前記入力輝度信号分離手段により分離された前記エッジ成分に基づいて、第２のゲインを設定し、前記第１の信号レベル調整手段により前記信号レベルが調整された前記非エッジ成分に前記第２のゲインを乗算し、前記非エッジ成分の信号レベルを調整する第２の信号レベル調整手段と、
前記第２の信号レベル調整手段により前記信号レベルが調整された前記非エッジ成分と、前記入力輝度信号分離手段により分離された前記エッジ成分を加算する輝度信号加算手段と、
前記入力輝度信号、前記輝度信号加算手段による加算結果からなる出力輝度信号、および前記入力色信号に基づいて、前記入力色信号の信号レベルを調整する第３の信号レベル調整手段と
を備えることを特徴とする信号処理装置。
【請求項２】
前記非エッジ成分増幅手段は、前記入力輝度信号分離手段により分離された前記非エッジ成分の信号レベルの絶対値が所定の第１の閾値より大きい場合、前記増幅量を小さくする
ことを特徴とする請求項１に記載の信号処理装置。
【請求項３】
前記非エッジ成分増幅手段は、
前記入力輝度信号分離手段により分離された前記非エッジ成分より低周波成分を抽出する低周波成分抽出手段と、
前記入力輝度信号分離手段により分離された前記非エッジ成分より高周波成分を抽出する高周波成分抽出手段と、
前記低周波成分抽出手段により抽出された前記低周波成分に基づいて、前記低周波成分の増幅量を決定し、前記低周波成分を増幅する低周波成分増幅手段と、
前記高周波成分抽出手段により抽出された前記高周波成分に基づいて、前記高周波成分の増幅量を決定し、前記高周波成分を増幅する高周波成分増幅手段と
を備えることを特徴とする請求項１に記載の信号処理装置。
【請求項４】
前記高周波成分抽出手段は、前記入力輝度信号分離手段により分離された前記非エッジ成分から、前記低周波成分抽出手段により抽出された前記低周波成分を減算して前記高周波成分を抽出する
ことを特徴とする請求項３に記載の信号処理装置。
【請求項５】
前記低周波成分増幅手段は、前記低周波成分抽出手段により抽出された前記低周波成分の信号レベルの絶対値が所定の閾値より大きい場合、前記低周波成分の増幅量を小さくする
ことを特徴とする請求項３に記載の信号処理装置。
【請求項６】
前記低周波成分増幅手段により増幅された前記低周波成分と、前記高周波成分増幅手段により増幅された前記高周波成分を加算する周波数成分加算手段をさらに備える
ことを特徴とする請求項３に記載の信号処理装置。
【請求項７】
前記第１の信号レベル調整手段は、
前記入力色信号に基づいて、前記非エッジ成分の、対応する画像の色を検出し、検出された前記画像の色に基づいて、前記第１のゲインの値を設定する色検出ゲイン値設定手段と、
前記色検出ゲイン値設定手段により値が設定された前記第１のゲインを前記非エッジ成分に乗算する色ゲイン乗算手段と
を備えることを特徴とする請求項１に記載の信号処理装置。
【請求項８】
前記色検出ゲイン値設定手段は、検出された前記画像の色が予め定められた所定の色である場合、前記第１のゲインの値を「１」より小さい値に設定し、前記画像の色が前記所定の色以外の色である場合、前記第１のゲインの値を「１」に設定する
ことを特徴とする請求項７に記載の信号処理装置。
【請求項９】
前記所定の色は肌色である
ことを特徴とする請求項８に記載の信号処理装置。
【請求項１０】
前記第１の信号レベル調整手段は、
前記エッジ成分に基づいて、前記非エッジ成分の、対応する画像の明度を検出し、検出された前記画像の明度に基づいて、前記色設定ゲイン値設定手段により値が設定された前記第１のゲインの値の調整量を設定するゲイン値調整量設定手段と、
前記ゲイン値調整量設定手段により設定された前記第１のゲインの値の調整量に基づいて、前記第１のゲインの値を調整するゲイン値調整手段と
をさらに備え、
前記色ゲイン乗算手段は、前記ゲイン値調整手段により値が調整された前記第１のゲインを前記非エッジ成分に乗算する
ことを特徴とする請求項７に記載の信号処理装置。
【請求項１１】
前記第２の信号レベル調整手段は、
前記エッジ成分の信号レベルを検出し、前記第２のゲインの値を設定する明度検出ゲイン値設定手段と、
前記明度検出ゲイン値設定手段により値が設定された前記第２のゲインを、前記非エッジ成分に乗算する明度ゲイン乗算手段と
を備えることを特徴とする請求項１に記載の信号処理装置。
【請求項１２】
前記明度検出ゲイン値設定手段は、検出された前記エッジ成分の信号レベルが予め定められた所定の第１の閾値より小さい場合、または、前記画像の明度が前記第１の閾値より大きい所定の第２の閾値よりさらに大きい場合、前記第２のゲインの値を小さい値に設定する
ことを特徴とする請求項１１に記載の信号処理装置。
【請求項１３】
前記第２の信号レベル調整手段は、前記第１の信号レベル調整手段により前記信号レベルが調整された前記非エッジ成分を正側成分および負側成分に分離する正負分離手段をさらに備え、
前記明度検出ゲイン値設定手段は、前記エッジ成分の信号レベルを検出し、前記正負分離手段により分離された正側成分および負側成分について、前記第２のゲインの値をそれぞれ設定し、
前記明度ゲイン乗算手段は、前記明度検出ゲイン値設定手段により値が設定された前記正側成分に対する前記第２のゲインである正側ゲインを前記正側成分に乗算し、前記明度検出ゲイン値設定手段により値が設定された前記負側成分に対する前記第２のゲインである負側ゲインを前記負側成分に乗算する
ことを特徴とする請求項１１に記載の信号処理装置。
【請求項１４】
前記第３の信号レベル調整手段は、
前記入力輝度信号および前記出力輝度信号より、前記輝度信号の増幅量を算出する増幅量算出手段と、
前記増幅量算出手段により算出された前記増幅量を乗算して前記入力色信号の信号レベルを調整する入力色信号レベル調整手段と、
前記入力色信号レベル調整手段による信号レベル調整処理前後の前記入力色信号の信号レベルを比較する比較手段と、
前記比較手段による比較結果に基づいて、前記入力色信号レベル調整手段による前記信号レベル調整処理前後の前記入力色信号の内、いずれか一方を出力色信号として選択する色信号選択手段と
を備えることを特徴とする請求項１に記載の情報処理装置。
【請求項１５】
前記第３の信号レベル調整手段は、
前記入力色信号レベル調整手段による前記信号レベル調整処理前後の前記入力色信号を、予め定められた所定の割合で混合する混合手段をさらに備え、
前記色信号選択手段は、
前記信号レベル調整処理後の前記入力色信号の信号レベルが、前記信号レベル調整処理前の前記入力色信号の信号レベルより大きい場合、前記信号レベル調整処理後の前記入力色信号を前記出力色信号として選択し、
前記信号レベル調整処理後の前記入力色信号の信号レベルが、前記信号レベル調整前の前記入力色信号の信号レベルより小さい場合、前記混合手段の混合結果を前記出力色信号として選択する
ことを特徴とする請求項１４に記載の情報処理装置。
【請求項１６】
輝度信号を、信号レベルの変化が急峻で大きなエッジを保存した成分であるエッジ成分と、それ以外の成分である非エッジ成分に分離し、非エッジ成分を増幅する信号処理装置の信号処理方法であって、
入力された前記輝度信号である入力輝度信号を、前記エッジ成分、および、前記非エッジ成分に分離する入力輝度信号分離ステップと、
前記入力輝度信号分離ステップの処理により分離された前記非エッジ成分に基づいて、前記非エッジ成分の増幅量を設定し、前記非エッジ成分を増幅する非エッジ成分増幅ステップと、
入力色信号に基づいて、第１のゲインを設定し、前記非エッジ成分増幅ステップの処理により増幅された前記非エッジ成分に前記第１のゲインを乗算し、前記非エッジ成分の信号レベルを調整する第１の信号レベル調整ステップと、
前記入力輝度信号分離ステップの処理により分離された前記エッジ成分に基づいて、第２のゲインを設定し、前記第１の信号レベル調整ステップの処理により前記信号レベルが調整された前記非エッジ成分に前記第２のゲインを乗算し、前記非エッジ成分の信号レベルを調整する第２の信号レベル調整ステップと、
前記第２の信号レベル調整ステップの処理により前記信号レベルが調整された前記非エッジ成分と、前記入力輝度信号分離ステップの処理により分離された前記エッジ成分を加算する輝度信号加算ステップと、
前記入力輝度信号、前記輝度信号加算ステップの処理による加算結果からなる出力輝度信号、および入力色信号に基づいて、前記入力色信号の信号レベルを調整する第３の信号レベル調整ステップと
を含むことを特徴とする信号処理方法。
【請求項１７】
輝度信号を、信号レベルの変化が急峻で大きなエッジを保存した成分であるエッジ成分と、それ以外の成分である非エッジ成分に分離し、非エッジ成分を増幅する信号処理装置用のプログラムであって、
入力された前記輝度信号である入力輝度信号を、前記エッジ成分、および、前記非エッジ成分に分離する入力輝度信号分離ステップと、
前記入力輝度信号分離ステップの処理により分離された前記非エッジ成分に基づいて、前記非エッジ成分の増幅量を設定し、前記非エッジ成分を増幅する非エッジ成分増幅ステップと、
入力色信号に基づいて、第１のゲインを設定し、前記非エッジ成分増幅ステップの処理により増幅された前記非エッジ成分に前記第１のゲインを乗算し、前記非エッジ成分の信号レベルを調整する第１の信号レベル調整ステップと、
前記入力輝度信号分離ステップの処理により分離された前記エッジ成分に基づいて、第２のゲインを設定し、前記第１の信号レベル調整ステップの処理により前記信号レベルが調整された前記非エッジ成分に前記第２のゲインを乗算し、前記非エッジ成分の信号レベルを調整する第２の信号レベル調整ステップと、
前記第２の信号レベル調整ステップの処理により前記信号レベルが調整された前記非エッジ成分と、前記入力輝度信号分離ステップの処理により分離された前記エッジ成分を加算する輝度信号加算ステップと、
前記入力輝度信号、前記輝度信号加算ステップの処理による加算結果からなる出力輝度信号、および入力色信号に基づいて、前記入力色信号の信号レベルを調整する第３の信号レベル調整ステップと
を含むことを特徴とするコンピュータが読み取り可能なプログラムが記録されている記録媒体。
【請求項１８】
輝度信号を、信号レベルの変化が急峻で大きなエッジを保存した成分であるエッジ成分と、それ以外の成分である非エッジ成分に分離し、非エッジ成分を増幅する信号処理装置を制御するコンピュータが実行可能なプログラムであって、
入力された前記輝度信号である入力輝度信号を、前記エッジ成分、および、前記非エッジ成分に分離する入力輝度信号分離ステップと、
前記入力輝度信号分離ステップの処理により分離された前記非エッジ成分に基づいて、前記非エッジ成分の増幅量を設定し、前記非エッジ成分を増幅する非エッジ成分増幅ステップと、
入力色信号に基づいて、第１のゲインを設定し、前記非エッジ成分増幅ステップの処理により増幅された前記非エッジ成分に前記第１のゲインを乗算し、前記非エッジ成分の信号レベルを調整する第１の信号レベル調整ステップと、
前記入力輝度信号分離ステップの処理により分離された前記エッジ成分に基づいて、第２のゲインを設定し、前記第１の信号レベル調整ステップの処理により前記信号レベルが調整された前記非エッジ成分に前記第２のゲインを乗算し、前記非エッジ成分の信号レベルを調整する第２の信号レベル調整ステップと、
前記第２の信号レベル調整ステップの処理により前記信号レベルが調整された前記非エッジ成分と、前記入力輝度信号分離ステップの処理により分離された前記エッジ成分を加算する輝度信号加算ステップと、
前記入力輝度信号、前記輝度信号加算ステップの処理による加算結果からなる出力輝度信号、および入力色信号に基づいて、前記入力色信号の信号レベルを調整する第３の信号レベル調整ステップと
を含むことを特徴とするプログラム。
【手続補正２】
【補正対象書類名】明細書
【補正対象項目名】００２８
【補正方法】削除
【補正の内容】
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】削除
【補正の内容】
【手続補正８】
【補正対象書類名】明細書
【補正対象項目名】００４５
【補正方法】削除
【補正の内容】
【手続補正９】
【補正対象書類名】明細書
【補正対象項目名】００４７
【補正方法】削除
【補正の内容】